(57)【要約】  電源装置（１００）は、本体ケース（１０）と、押え部材（３０）と、パッキン（２０）とを備える。本体ケース（１０）は、開口（１５）を形成する開口縁部（１６）を有する。押え部材（３０）は、開口（１５）を覆うように本体ケース（１０）に取り付けられる。パッキン（２０）は、開口縁部（１６）と押え部材（３０）との間に配置される。押え部材（３０）は、第１板（３１）と、第２板（３２）と、少なくとも１つの屈曲角部（３３ａ）とを有する。第１板（３１）は、開口（１５）と交差する方向に沿って延びる。第２板（３２）は、第１板（３１）と交差する方向に沿って延びる。屈曲角部（３３ａ）は、第１板（３１）と第２板（３２）とを接続する。第１板（３１）と第２板（３２）との境界部分に空間（３４）が存在する。
2020054510.tif 000002
【特許請求の範囲】
【請求項１】
開口を形成する開口縁部を有し、電源本体を収容する本体ケースと、
前記開口を覆うように前記本体ケースに取り付けられた押え部材と、
前記開口縁部と前記押え部材との間に配置されたパッキンと
を備えた電源装置であって、
前記押え部材は、
前記開口と交差する方向に沿って延びる第１板と、
前記第１板と交差する方向に沿って延びる第２板と、
前記第１板と前記第２板とを接続する少なくとも１つの屈曲角部と
を有し、
前記第１板と前記第２板との境界部分に空間が存在する、電源装置。
【請求項２】
前記第１板は、前記電源装置が取り付けられる面に対向する第１主面を含み、
前記第１板の前記第１主面と、前記空間に隣接する前記第２板の端面とは、前記開口縁部の外面の一部と面一である、請求項１に記載の電源装置。
【請求項３】
前記押え部材は、前記第１板と前記第２板とを接続する２つの屈曲角部を有し、
前記２つの屈曲角部は、前記本体ケースの幅方向における前記第１板の両端部に位置し、
前記幅方向は、前記本体ケースの長手方向と交差する方向であり、
前記２つの屈曲角部の間に前記空間が存在する、請求項１又は請求項２に記載の電源装置。
【請求項４】
前記開口縁部は、前記本体ケースの長手方向において前記２つの屈曲角部に対向する位置に、２つの傾斜部又は２つの段差部を有する、請求項３に記載の電源装置。
【請求項５】
前記第１板の前記幅方向の寸法は、前記開口縁部の前記幅方向の寸法よりも大きい、請求項４に記載の電源装置。
【請求項６】
第１方向に沿って延びる第１板と、
前記第１方向と交差する第２方向に沿って延びる第２板と、
前記第１板と前記第２板とを接続する少なくとも１つの屈曲角部と
を備え、
前記第１板と前記第２板との境界部分に空間が存在する、支持金具。
【発明の詳細な説明】
【技術分野】
【０００１】
本発明は、電源装置及び支持金具に関する。
【背景技術】
【０００２】
特許文献１に記載の電源装置は、本体ケースと、押え部材と、パッキンとを備える。本体ケースは、開口を形成する開口縁部を有し、電源本体を収容する。押え部材は、本体ケースの開口を覆うように本体ケースに取り付けられる。パッキンは、本体ケースの開口縁部と押え部材との間に配置される。
【先行技術文献】
【特許文献】
【０００３】
【特許文献１】特開２０１５−１５４２２号公報
【発明の概要】
【発明が解決しようとする課題】
【０００４】
特許文献１に記載の電源装置において、押え部材を板金の折り曲げ加工によって製造することを想定する。押え部材は、Ｌ型の支持金具であって、第１板と、第２板と、屈曲角部とを有する。第１板は、本体ケースの開口と交差する方向に沿って延びる。第２板は、第１板と交差する方向に沿って延びる。屈曲角部は、第１板と第２板とを接続する。第２板の高さを小さくすると、屈曲角部とパッキンとの間に隙間が生じるので、押え部材が開口縁部の一部に対してパッキンを押し付けることができない。その結果、電源装置の封止の確実性が損なわれる。【０００５】
そこで、本発明は上記事情を考慮し、簡単な構造で封止の確実性を高めることができる電源装置と、電源装置のような電気機器の封止に好適な支持金具とを提供することを目的とする。
【課題を解決するための手段】
【０００６】
本発明の電源装置は、本体ケースと、押え部材と、パッキンとを備える。前記本体ケースは、開口を形成する開口縁部を有し、電源本体を収容する。前記押え部材は、前記開口を覆うように前記本体ケースに取り付けられる。前記パッキンは、前記開口縁部と前記押え部材との間に配置される。前記押え部材は、第１板と、第２板と、少なくとも１つの屈曲角部とを有する。前記第１板は、前記開口と交差する方向に沿って延びる。前記第２板は、前記第１板と交差する方向に沿って延びる。前記少なくとも１つの屈曲角部は、前記第１板と前記第２板とを接続する。前記第１板と前記第２板との境界部分に空間が存在する。【０００７】
本発明の支持金具は、第１板と、第２板と、少なくとも１つの屈曲角部とを備える。前記第１板は、第１方向に沿って延びる。前記第２板は、前記第１方向と交差する第２方向に沿って延びる。前記少なくとも１つの屈曲角部は、前記第１板と前記第２板とを接続する。前記第１板と前記第２板との境界部分に空間が存在する。
【発明の効果】
【０００８】
本発明の電源装置によれば、簡単な構造で封止の確実性を高めることができる。また、本発明によれば、電源装置のような電気機器の封止に好適な支持金具を提供できる。
【図面の簡単な説明】
【０００９】
【図１】本発明の第１実施形態に係る電源装置の一例を示す斜視図である。
【図２】電源装置の分解斜視図である。
【図３】電源装置の一部を拡大して示す斜視図である。
【図４】電源装置の一部を拡大して示す平面図である。
【図５】図４のＶ−Ｖ断面の拡大斜視図である。
【図６】図４のＶＩ−ＶＩ断面図である。
【図７】ある方向から見た第１押え部材の斜視図である。
【図８】他の方向から見た第１押え部材の斜視図である。
【図９】本発明の第２実施形態に係る電源装置の平面図である。
【発明を実施するための形態】
【００１０】
［第１実施形態］
本発明の第１実施形態について、図１〜図８を参照しながら説明する。なお、図中、同一又は相当部分については同一の参照符号を付して説明を繰り返さない。
【００１１】
まず、図１及び図２を参照して、第１実施形態に係る電源装置１００の全体構成について説明する。図１は、電源装置１００の斜視図である。図２は、電源装置１００の分解斜視図である。電源装置１００は、例えば照明器具用の装置である。
【００１２】
図１に示すように、電源装置１００は、本体ケース１０と、第１パッキン２０と、第１押え部材３０とを備える。図２に示すように、本体ケース１０は、第１開口１５を形成する第１開口縁部１６を有し、不図示の電源本体を収容する。
【００１３】
第１開口縁部１６は、第１ビス穴１ａ及び第２ビス穴１ｂを有する。第１押え部材３０は、第１開口１５を覆うように、第１ビス４０及び第２ビス４１により本体ケース１０に取り付けられている。そのため、第１ビス４０を通す第１貫通孔３ａと、第２ビス４１を通す第２貫通孔３ｂとが第１押え部材３０に設けられている。
【００１４】
第１パッキン２０は、第１開口縁部１６と第１押え部材３０との間に配置されている。第１貫通孔３ａを通った第１ビス４０が第１ビス穴１ａにねじ込まれ、第２貫通孔３ｂを通った第２ビス４１が第２ビス穴１ｂにねじ込まれている。その結果、第１押え部材３０及び第１パッキン２０が第１開口縁部１６に固定されるとともに、第１パッキン２０が圧縮される。
【００１５】
図１に示すように、電源装置１００は、第２パッキン５０と、第２押え部材６０と、複数のリード線７０とを更に備える。図２に示すように、本体ケース１０は、第１開口縁部１６とは反対側に、他方の開口を形成する第２開口縁部１７を有する。
【００１６】
第２押え部材６０は、第２開口縁部１７の開口を覆うように、第３ビス８０及び第４ビス８１により本体ケース１０に取り付けられている。そのため、第３ビス８０及び第４ビス８１を通す２つの貫通孔が第２押え部材６０に設けられている。第２パッキン５０は、第２開口縁部１７と第２押え部材６０との間に配置され、第２押え部材６０の取り付けにより圧縮される。複数のリード線７０は、第２押え部材６０に設けられた貫通孔と、第２パッキン５０に設けられた貫通孔とを通じて本体ケース１０の中へ導入され、不図示の電源本体に接続される。
【００１７】
次に、図３〜図８を参照して、第１押え部材３０について説明する。図３は、電源装置１００の一部を拡大して示す斜視図である。図４は、電源装置１００の一部を拡大して示す平面図である。図５は、図４のＶ−Ｖ断面の拡大斜視図である。図６は、図４のＶＩ−ＶＩ断面図である。図７は、ある方向から見た第１押え部材３０の斜視図である。図８は、他の方向から見た第１押え部材３０の斜視図である。
【００１８】
図３に示すように、第１押え部材３０は、板金の折り曲げ加工によって製造されたＬ型の支持金具であって、第１板３１と、第２板３２と、第１屈曲角部３３ａと、第２屈曲角部３３ｂとを有する。第１板３１は、第１開口１５と交差する方向に沿って延びる。第２板３２は、第１板３１と交差する方向に沿って延びる。第１屈曲角部３３ａ及び第２屈曲角部３３ｂは、本体ケース１０の幅方向における第１板３１の両端部に位置し、それぞれ第１板３１と第２板３２とを接続する。本体ケース１０の幅方向は、本体ケース１０の長手方向と交差する方向である。第１板３１と第２板３２との境界部分に、また第１屈曲角部３３ａと第２屈曲角部３３ｂとの間に、空間３４が存在する。第２板３２は、本体ケース１０の第１開口縁部１６に対して第１パッキン２０を押し付ける。
【００１９】
第１板３１は、電源装置１００の取り付けのための貫通孔３ｃを有する。つまり、第１板３１の互いに平行な２つの主面のうちの一方の主面３５は、電源装置１００が取り付けられる面に対向する。
【００２０】
図４に示すように、第１押え部材３０の幅方向の寸法Ｗ２は、本体ケース１０の第１開口縁部１６の幅方向の寸法Ｗ１と、ほぼ同じである。
【００２１】
図５に示すように、第１開口縁部１６の断面は、矩形の４隅にそれぞれ傾斜部を設けた八角形に形成されている。すなわち、第１開口縁部１６は、幅方向の両端部に第１下部傾斜部１１ａと第２下部傾斜部１１ｂとを有し、また幅方向の両端部に第１上部傾斜部１２ａと第２上部傾斜部１２ｂとを有する。第１開口縁部１６の断面形状を八角形としたことにより、電源装置１００の小型化と、本体ケース１０の強度向上との効果が得られる。
【００２２】
本体ケース１０の長手方向において第１屈曲角部３３ａは第１下部傾斜部１１ａに、第２屈曲角部３３ｂは第２下部傾斜部１１ｂにそれぞれ対向している。その結果、第１パッキン２０が第２板３２によって確実に押えられる。
【００２３】
図６に示すように、第１板３１は、主面３５を有する。第２板３２は、端面３９を有する。第１パッキン２０は、端面２１を有する。第１開口縁部１６は、面１３を有する。第１板３１の主面３５と、第２板３２の端面３９と、第１パッキン２０の端面２１とは、第１開口縁部１６の面１３と面一である。その結果、本体ケース１０が第１押え部材３０によって持ち上げられることがない。
【００２４】
第１パッキン２０は、突出部２２を有する。突出部２２は、第１パッキン２０の互いに平行な２つの主面のうち本体ケース１０の側の一方の主面において、周縁部に形成されている。そして、突出部２２が第１開口縁部１６にはめ込まれている。
【００２５】
第２板３２が第１開口縁部１６に対して第１パッキン２０を確実に押し付けるので、簡単な構造で電源装置１００の封止の確実性を高めることができる。
【００２６】
図７及び図８に示すように、第１押え部材３０において、第１板３１は矩形の板であり、２つの頂角にそれぞれ面取りが施されている。第１板３１の幅方向の一方の端部は第１屈曲角部３３ａを介して、第１板３１の幅方向の他方の端部は第２屈曲角部３３ｂを介して、それぞれ第２板３２に接続されている。
【００２７】
第２板３２は、第１屈曲角部３３ａの近傍に拡幅方向の第１段差部３６ａを、第２屈曲角部３３ｂの近傍に拡幅方向の第２段差部３６ｂをそれぞれ有する。その結果、第２板３２の幅方向の寸法は、第１板３１の幅方向の寸法よりも大きい。また、第２板３２は、一方の頂角に第１上部傾斜部３７ａを、他方の頂角に第２上部傾斜部３７ｂをそれぞれ有する。第２板３２の第１上部傾斜部３７ａ及び第２上部傾斜部３７ｂの形状は、第１開口縁部１６の第１上部傾斜部１２ａ及び第２上部傾斜部１２ｂの形状に対応している。
【００２８】
第２板３２は、第１段差部３６ａと第１上部傾斜部３７ａとの間に第１突出部３８ａを、第２段差部３６ｂと第２上部傾斜部３７ｂとの間に第２突出部３８ｂをそれぞれ有する。第１突出部３８ａには第１貫通孔３ａが、第２突出部３８ｂには第２貫通孔３ｂがそれぞれ形成されている。
【００２９】
第１実施形態によれば、板金の折り曲げ加工によって製造された第１押え部材３０を電源装置１００に用いることとした。その結果、複数の部材の組み立てによって製造された押え部材を用いる場合や、鋳造により製造された押え部材を用いる場合に比べて、電源装置１００のコストを低減することができる。
【００３０】
［第２実施形態］
次に、図９を参照して、電源装置１００の第２実施形態について説明する。図９は、第２実施形態に係る電源装置１００の平面図である。
【００３１】
図９に示すように、第１板３１の幅方向の寸法Ｗ３は、第１開口縁部１６の幅方向の寸法Ｗ１よりも大きい。第１開口縁部１６の断面は、矩形に形成されている。すなわち、寸法Ｗ３を寸法Ｗ１よりも大きくしているので、図５に示すように第１下部傾斜部１１ａ及び第２下部傾斜部１１ｂを設けなくとも、第１屈曲角部３３ａ及び第２屈曲角部３３ｂと第１パッキン２０との間に隙間が生じることはない。
【００３２】
［第３実施形態］
第１及び第２実施形態では、第１押え部材３０を電源装置１００の支持金具として説明したが、これに限られない。第１押え部材３０と同様の構造は、他の電気機器の封止に好適な支持金具としても利用可能である。
【００３３】
図７及び図８に示すように、第３実施形態に係る支持金具は、第１板３１と、第２板３２と、少なくとも１つの屈曲角部３３ａとを備える。第１板３１は、第１方向に沿って延びる。第２板３２は、第１方向と交差する第２方向に沿って延びる。少なくとも１つの屈曲角部３３ａは、第１板３１と第２板３２とを接続する。第１板３１と第２板３２との境界部分に空間３４が存在する。
【００３４】
上記した実施形態の説明は、本発明における好適な実施形態を説明しているため、技術的に好ましい種々の限定を付している場合もあるが、本発明の技術範囲は、特に本発明を限定する記載がない限り、これらの態様に限定されるものではない。すなわち、上記実施形態における構成要素は適宜、既存の構成要素等との置き換えが可能であり、かつ、他の既存の構成要素との組合せを含む様々なバリエーションが可能である。上記実施形態の記載をもって、特許請求の範囲に記載された発明の内容を限定するものではない。
【００３５】
（１）第１実施形態では、簡単な構造で電源装置１００の封止の確実性を高めることができる旨を説明した。本発明によれば、本体ケース１０が封止されておればよく、防水機能を有しない場合も本発明の技術範囲である。
【００３６】
（２）第１及び第２実施形態では、第１押え部材３０が第１屈曲角部３３ａ及び第２屈曲角部３３ｂを有したが、屈曲角部の数はこれに限られない。第１押え部材３０は、第１板３１と第２板３２とを接続する、１つ又は３つ以上の屈曲角部を有してもよい。
【００３７】
（３）第１及び第２実施形態では、第１板３１と第２板３２との境界部分に空間３４が存在することとした。「空間」は、屈曲角部の数が２以上である場合の「穴」に限らず、屈曲角部の数が１である場合の「切り込み」をも含む。
【００３８】
（４）第１実施形態では、第１板３１の一方の主面３５と、空間３４に隣接する第２板３２の端面３９とが、第１開口縁部１６の外周面の一部をなす面１３と面一であるとしたが、これに限られない。
【００３９】
（５）第１実施形態では、第１押え部材３０の第１屈曲角部３３ａ及び第２屈曲角部３３ｂに対向する位置に、第１下部傾斜部１１ａ及び第２下部傾斜部１１ｂを本体ケース１０に設けたが、これに限られない。第１下部傾斜部１１ａ及び第２下部傾斜部１１ｂに代えて、第１下部段差部と第２下部段差部とが本体ケース１０に設けられてもよい。
【産業上の利用可能性】
【００４０】
本発明は、電源装置及び支持金具の分野に利用可能である。
【符号の説明】
【００４１】
１０    本体ケース
１１ａ  第１下部傾斜部
１１ｂ  第２下部傾斜部
１５    第１開口
１６    第１開口縁部
２０    第１パッキン
３０    第１押え部材
３１    第１板
３２    第２板
３３ａ  第１屈曲角部
３３ｂ  第２屈曲角部
３４    空間
１００  電源装置
【図１】
2020054510.tif 000003
【図２】
2020054510.tif 000004
【図３】
2020054510.tif 000005
【図４】
2020054510.tif 000006
【図５】
2020054510.tif 000007
【図６】
2020054510.tif 000008
【図７】
2020054510.tif 000009
【図８】
2020054510.tif 000010
【図９】
2020054510.tif 000011
【国際調査報告】
2020054510.tif 000012
2020054510.tif 000013
2020054510.tif 000014
2020054510.tif 000015